(57)【要約】      （修正有）【課題】接着層を介して接着されているプリズムとカバーガラスとの剥離を抑制した内視鏡用撮像ユニット及び内視鏡を提供する。【解決手段】内視鏡用撮像ユニット３０が、対物レンズと、対物レンズを保持する鏡胴５０と、鏡胴５０の一端に直接もしくは間接的に接続された光入射面と、該光入射面と直角をなす光出射面を備えたプリズム６０と、プリズム６０の光入射面及び光出射面のいずれか一方に、一面が接着剤７０を介して接着された平板光学部材４０と、プリズムの光出射面に対向して配置された撮像素子基板８０とを備え、鏡胴５０と撮像素子基板８０とが所定の間隙（Ｇ）を有して対向配置された部分を有し、プリズム６０と平板光学部材４０との界面の、プリズムの光入射面と光出射面とのなす角部側の一辺が、鏡胴と撮像素子基板との間隙に臨み、プリズム６０の光入射面と光出射面とのなす角部６０ｃと対向する平板光学部材の角部に切欠き部４２を備えている。【選択図】図４
2019024942.tif 000002
【特許請求の範囲】
【請求項１】
内視鏡の挿入部先端部に配置される対物レンズと、
該対物レンズを保持する鏡胴と、
前記鏡胴の一端に直接もしくは間接的に接続された光入射面と、該光入射面と直角をなす光出射面を備えたプリズムと、
該プリズムの前記光入射面及び前記光出射面のいずれか一方に、一面が接着剤を介して接着された平板光学部材と、
前記プリズムの前記光出射面に対向して配置された撮像素子基板とを備えた内視鏡用撮像ユニットであって、
前記鏡胴と前記撮像素子基板とが所定の間隙を有して対向配置された部分を有し、
前記プリズムと前記平板光学部材との界面の、前記プリズムの前記光入射面と前記光出射面とのなす角部側の一辺が前記間隙に臨み、
前記プリズムの前記角部と対向する前記平板光学部材の角部に切欠き部を備えている内視鏡用撮像ユニット。
【請求項２】
前記プリズムの前記角部に切欠き部を備えている請求項１記載の内視鏡用撮像ユニット。
【請求項３】
前記切欠き部が面取り部である請求項１又は２記載の内視鏡用撮像ユニット。
【請求項４】
前記平板光学部材が、前記プリズムの前記光出射面に接着されたカバーガラスである請求項１から３のいずれか１項に記載の内視鏡用撮像ユニット。
【請求項５】
前記平板光学部材が、前記鏡胴の一端と前記プリズムの前記光入射面との間に配置された光学フィルタである請求項１から３のいずれか１項に記載の内視鏡用撮像ユニット。
【請求項６】
前記プリズムが、前記角部を、前記鏡胴の外周よりも外側に突出させて配置されている請求項１から５のいずれか１項に記載の内視鏡用撮像ユニット。
【請求項７】
請求項１から請求項６のいずれか１項に記載の内視鏡用撮像ユニットが、被検体内に挿入される内視鏡先端部に搭載された内視鏡。
【発明の詳細な説明】
【技術分野】
【０００１】
本発明は、内視鏡用撮像ユニット、及び内視鏡に関する。
【背景技術】
【０００２】
可撓性を有する細長の挿入具の先端部に撮像素子を実装した撮像ユニットが内蔵されており、この挿入具を体腔内に挿入することによって、被検部位の観察等を行うことができる内視鏡が知られている。
【０００３】
この撮像ユニットは、ＣＣＤ（Charge Coupled Device）又はＣＭＯＳ（Complementary Metal Oxide Semiconductor）イメージセンサ等の固体撮像素子を内蔵し、複数の光学部材を通して撮像素子の受光領域に被写部位の光学像を結像し、この撮像素子の光電変換処理によって被写部位の画像データを撮像する。
【０００４】
撮像ユニットに備えられている光学部材は、例えばレンズ系、プリズム及び撮像素子の撮像面を保護するカバーガラスなどであり、観察像を正確に再現するためには、複数の光学部材の相対位置関係を厳格に規制した状態にして撮像ユニットを組み付ける必要がある。一方、内視鏡の挿入部における撮像ユニットの配設位置には、撮像素子の基板に搭載したコンデンサ等の電子部品及びライトガイドなどの発熱源が存在するため、使用時において雰囲気温度が上昇し、５０℃から６０℃程度となる。また、挿入部は、オートクレーブ滅菌処理のため、高温高圧高湿雰囲気に曝される。
【０００５】
ここで、撮像ユニットを構成する各部材のうち、鏡胴は黄銅、アルミ、及びステンレスなどの金属材により形成され、プリズム及びカバーガラスの材質はガラスあるいは樹脂である。各部材の線膨張係数は材質によって異なり、金属材からなる鏡胴と、ガラスあるいは樹脂からなるプリズム及びカバーガラスとの間の線膨張係数差は極めて大きい。このため、鏡胴とプリズム又はカバーガラスとが接着剤で接続されている場合には、高温雰囲気下で長時間作動させたり、繰り返し作動させたりしている間に、接着剤により接続されている部材間の線膨張率の違いによって相互の間における連結部分に歪が生じて、接着部分に剥離が生じることがある。
【０００６】
特許文献１においては、上記線膨張係数の差により最も影響を受けるのは鏡胴とカバーガラスとの間であるとして、鏡胴とカバーガラスとを離間して配置する構成が提案されている。
【０００７】
なお、特許文献２〜４等にも、レンズ系を装着した鏡胴と、プリズムとを固着させ、さらに、プリズムと撮像素子の表面に設けられたカバーガラスとを接着剤等を用いて固着させた構成が開示されている。
【先行技術文献】
【特許文献】
【０００８】
【特許文献１】実公平７−２４０８８号公報
【特許文献２】特開２０１５−４２２１９号公報
【特許文献３】特開２０１２−１０５８６８号公報
【特許文献４】特開２０１１−２２４３４８号公報
【発明の概要】
【発明が解決しようとする課題】
【０００９】
被検者の負担を低減するために、内視鏡の挿入部は細径化が図られている。この細径化の実現に向けた検討を進める上で、本発明者らは以下のような問題を見出した。挿入部の細径化のためには、鏡胴と鏡胴の外面に対向して配置される撮像素子基板との間隔を十分に小さくする必要がある。しかし、この鏡胴と撮像素子基板との間隔を小さくするとカバーガラスとプリズムとの界面を接着する際にこの界面から漏れ出た接着剤が鏡胴の外周面の一部（以下において単に外面という。）と撮像素子基板との間に充填されてしまう。この鏡胴の外面と撮像素子基板との間が接着剤で埋められた状態で、挿入部が高温に曝されると、接着剤や鏡胴等の膨張により、鏡胴と撮像素子基板間を離間させる方向の応力がかかる。この応力がプリズムとカバーガラス間の接着面に影響を及ぼし、プリズムとカバーガラス間の接着面にも両部材を離間させる方向の力がかかる。挿入部が長時間高温中に曝される、あるいは高温に繰り返し曝されるうちに、プリズムとカバーガラスとを離間させる方向にかかる力の影響により、接着面に剥がれが生じる。プリズムとカバーガラスとの接着面に剥がれは受光画像の精度を著しく低下させる。
【００１０】
本発明は、上記事情を鑑みてなされたものであり、接着固定されているカバーガラスとプリズムとの剥がれが抑制された、内視鏡用撮像ユニット及びその内視鏡用撮像ユニットを備えた内視鏡を提供することを目的とする。
【課題を解決するための手段】
【００１１】
本発明の内視鏡用撮像ユニットは、
内視鏡の挿入部先端部に配置される対物レンズと、
対物レンズを保持する鏡胴と、
鏡胴の一端に直接もしくは間接的に接続された光入射面と、光入射面と直角をなす光出射面を備えたプリズムと、
プリズムの光入射面及び光出射面のいずれか一方に、一面が接着剤を介して接着された平板光学部材と、
プリズムの光出射面に対向して配置された撮像素子基板とを備えた内視鏡用撮像ユニットであって、
鏡胴と撮像素子基板とが所定の間隙を有して対向配置された部分を有し、
プリズムと平板光学部材との界面の、プリズムの光入射面と光出射面とのなす角部側の一辺が、鏡胴と撮像素子基板との間隙に臨み、
プリズムの光入射面と光出射面とのなす角部と対向する平板光学部材の角部に切欠き部を備えている。
【００１２】
本発明の内視鏡用撮像ユニットにおいては、プリズムの角部に切欠き部を備えていることが好ましい。
【００１３】
本発明の内視鏡用撮像ユニットにおいては、平板光学部材の角部の切欠き部、あるいは平板光学部材の角部の切欠き部とプリズムの角部の切欠き部が面取り部であってもよい。
【００１４】
本発明の内視鏡撮像ユニットにおいては、平板光学部材が、プリズムの光出射面に接着されたカバーガラスであってもよい。
【００１５】
本発明の内視鏡撮像ユニットにおいては、平板光学部材が、鏡胴の一端とプリズムの光入射面との間に配置された光学フィルタであってもよい。
【００１６】
本発明の内視鏡撮像ユニットにおいては、プリズムが、プリズムの角部を、鏡胴の外周よりも外側に突出させて配置されていることが好ましい。
【００１７】
本発明の内視鏡は、本発明の内視鏡用撮像ユニットが、被検体内に挿入される内視鏡先端部に搭載されている。
【発明の効果】
【００１８】
本発明の内視鏡用撮像ユニットは、接着剤で接着されたプリズムと平板光学部材との界面の、プリズムの光入射面と光出射面とのなす角部側の一辺が間隙に臨み、そのプリズムの角部と対向する平板光学部材の角部に切欠き部を備えているので、プリズムと平板光学部材とを接着する場合に両者の界面から漏れ出る接着剤を切欠き部で受容することができるので、鏡胴と撮像素子基板との間隙に接着剤が漏れ出るのを抑制することができる。したがって、鏡胴と撮像素子基板との間隙に接着剤が充填された場合に、プリズムとカバーガラス間の接着面にかかる力を抑制することができ、両者の接着面の剥がれが抑制された内視鏡用撮像ユニットを得ることができる。
【図面の簡単な説明】
【００１９】
【図１】一実施形態に係る内視鏡装置の全体構成を示す図である。
【図２】内視鏡の先端部の断面図である。
【図３】フレキシブル基板の一例を示す斜視図である。
【図４】一実施形態に係る撮像ユニットの概略構成を示す側面図である。
【図５】プリズムとカバーガラスの角部形状の一例を示す図である（その１）。
【図６】プリズムとカバーガラスの角部形状の一例を示す図である（その２）。
【図７】図６のプリズムとカバーガラスの接着前のそれぞれの形状を示す斜視図である。
【図８】プリズムとカバーガラスの角部形状の一例を示す図である（その３）。
【図９】プリズムとカバーガラスの角部形状の一例を示す図である（その４）。
【図１０】プリズムとカバーガラスの角部形状の一例を示す図である（その５）。
【図１１】設計変更例の撮像ユニットの概略構成を示す側面図である。
【発明を実施するための形態】
【００２０】
以下、図面を参照して本発明に係る実施形態について説明する。
図１は本発明の一実施形態に係る内視鏡を備えた内視鏡装置１１の全体構成図を示す図であり、図２は内視鏡の挿入部先端を拡大して示す断面図である。
【００２１】
図１に示すように、内視鏡装置１１は、内視鏡１２、制御装置１３、光源装置１４、及び送気送水装置１５を備えている。送気送水装置１５は、光源装置１４に内蔵され、エアーの送気を行う周知の送気装置（例えば、ポンプ）１５ａと、光源装置１４の外部に設けられ、洗浄水を貯留する洗浄水タンク１５ｂから構成されている。
【００２２】
内視鏡１２は、被検者の体内に挿入される可撓性の挿入部１６と、挿入部１６の基端部分に連接され、内視鏡の把持及び挿入部１６の操作に用いられる操作部１７と、操作部１７を制御装置１３及び光源装置１４に接続するユニバーサルコード１９とを有する。
【００２３】
挿入部１６は、その先端に設けられ、本発明の第１の実施形態に係る内視鏡用撮像ユニット３０が内蔵された先端部１６ａと、先端部１６ａの基端に連設された湾曲自在な湾曲部１６ｂと、湾曲部１６ｂの基端に連設された可撓性を有する可撓管部１６ｃとからなる。ここで、基端とは各部材の両端のうちの操作部１７側の一端を意味する。
【００２４】
操作部１７には、湾曲部１６ｂを上下左右に湾曲させるためのアングルノブ２１、及び先端部１６ａからエアー，水を噴出させるための送気送水ボタン２２などの操作部材が設けられている。また、操作部１７には、鉗子チャンネル（図２参照）３２に電気メス等の処置具を挿入するための鉗子口２３が設けられている。
【００２５】
制御装置１３は、光源装置１４と電気的に接続され、内視鏡装置１１の動作を統括的に制御する。制御装置１３は、ユニバーサルコード１９や挿入部１６内に挿通された伝送ケーブルを介して内視鏡１２に給電を行い、撮像素子８２の駆動を制御する。また、制御装置１３は、伝送ケーブルを介して撮像素子８２から出力された撮像信号を取得し、各種画像処理を施して画像データを生成する。制御装置１３で生成された画像データは、制御装置１３にケーブル接続されたモニタ２０に観察画像として表示される。
【００２６】
図２に示すように、先端部１６ａは、先端硬性部２４と、この先端硬性部２４の先端側に装着される先端保護キャップ２５とを備えている。先端硬性部２４は、ステンレス鋼等の金属からなり、長手方向に沿って複数の貫通孔が形成されている。この先端硬性部２４の各貫通孔に撮像ユニット３０、鉗子チャンネル３２、図示しないライトガイドなどの各種部品が挿入されて固定されている。先端硬性部２４の後端は、湾曲部１６ｂを構成する先端の湾曲駒３３に連結されている。また、先端硬性部２４の外周には、外皮チューブ３４が被覆されている。
【００２７】
撮像ユニット３０は、先端保護キャップ２５の観察窓から体腔内（すなわち被検体内）の像光を取り込むために先端部１６ａの先端側に配置される対物レンズ３８と、その対物レンズ３８を保持する鏡胴５０と、鏡胴５０の基端側の一端５０Ａに接続されたプリズム６０と、プリズム６０に接着されたカバーガラス４０と、プリズム６０の光出射面６０Ｂに対向して配置された撮像素子基板８０とを備えている。なお、カバーガラス４０は平板光学部材の一形態である。
【００２８】
プリズム６０は、鏡胴５０の一端５０Ａに接続される光入射面６０Ａとその光入射面６０Ａと直角をなす光出射面６０Ｂを備えている。カバーガラス４０はプリズム６０の光出射面６０Ｂに、接着剤７０を介して一面４０Ａが接着されている（図３を参照）。
【００２９】
対物レンズ３８は、被検体内の像光を取り込むためのレンズ群３８Ａ，３８Ｂ，３８Ｃからなり、鏡胴５０は、このレンズ群３８Ａ，３８Ｂ，３８Ｃを内部に保持する。レンズ群３８Ａ，３８Ｂ，３８Ｃのうち、最も先端側に位置するレンズ３８Ａが先端部１６ａの先端面、すなわち先端保護キャップ２５の貫通孔２５ａから外部に臨むように配設されている。
【００３０】
撮像素子基板８０は撮像素子８２が備えられており、カバーガラス４０は、撮像素子８２の受光部８４上に配設されている。カバーガラス（cover slip)４０は、透明材料からなる０．２ｍｍ〜０．５ｍｍ程度の厚みを有する薄板である。なお、カバーガラスはガラス製には限らず樹脂製であってもよい。本実施形態においては、カバーガラス４０が受光部８４の表面に直に接して取り付けられているが、カバーガラス４０は受光部８４上にスペーサを介して取り付けられていてもよい。
【００３１】
撮像素子基板８０は、撮像素子８２が備えられたシリコン基板８１と回路部が備えられたフレキシブル基板８５から構成されている。回路部は、撮像素子８２と電気的に接続される。回路部には、例えば、撮像素子８２を駆動させるための駆動信号を伝達する回路、撮像素子８２からの撮像信号をデジタル化する等の信号処理を施すための回路、撮像信号を制御装置に転送するための回路等が実装されている。
【００３２】
シリコン基板８１の撮像素子８２の受光面８４が、フレキシブル基板８５の一端部８５ａに形成された開口８５ｂ（図３参照）から露呈されるように、周辺部が一端部８５ａの外面に密接され、ボンディングワイヤにより一端部８５ａに電気的に接続される。フレキシブル基板８５は、Ｕ字型に湾曲された湾曲部８５ｃを有し、略真っ直ぐに延びた直線部８５ｄを介して、その他端部８５ｅがプリズム６０近傍まで達している。
【００３３】
他端部８５ｅの所定長さ範囲は、プリズム６０の傾斜面に対して略平行となるように、直線部８５ｄに対して屈曲されている。他端部８５ｅのプリズム６０側の面には、撮像素子８２を駆動する回路や撮像素子８２から出力される映像信号を増幅するアンプ等の部品が設けられている。他端部８５ｅには、カバー８６が固着され、このカバー８６の両縁部がプリズム６０の両側面に固着されている。
【００３４】
フレキシブル基板８５には、図３に示すように、直線部８５ｄの長手方向に直交する方向に突出されるとともに直角に折り曲げられた枝部８５ｆが連設され、この先端部に長方形をしたサブ基板８５ｇが連設されている。このサブ基板８５ｇの面は、枝部８５ｆの面に対して直角であり、直線部８５ｄの面に対して略平行になっている。この面に対向するサブ基板８５ｇの内面には、半田付け部８５ｈが設けられ、この半田付け部８５ｈに設けられた多数の端子に、信号線が半田付けされている。
【００３５】
以下、上記内視鏡装置１１に備えられている、本発明の第１の実施形態の撮像ユニット３０について詳細に説明する。図４は、本実施形態の撮像ユニット３０の鏡胴５０、プリズム６０及びカバーガラス４０の接続部の側面拡大図である。なお、撮像素子基板の一部は省略している。
【００３６】
本実施形態の撮像ユニットは、図４に示すように鏡胴５０の基端側の一端５０Ａにプリズム６０の光入射面６０Ａが接続されている。鏡胴５０とプリズム６０は図示しない接着剤を介して接続されている。プリズム６０の光出射面６０Ｂはカバーガラス４０の一面４０Ａと接着剤７０を介して接着されている。以下において、プリズム６０とカバーガラス４０との界面にある接着剤７０からなる層を接着層７２と称する。
【００３７】
図４に示すように鏡胴５０と撮像素子基板８０とが所定の間隙Ｇを有して対向配置された部分を有している。本実施形態においては、鏡胴５０の外面とそれに対向して配置されているフレキシブル基板８５の端部８５ｉとが上述の間隙Ｇで配置されている。この間隙Ｇは撮像ユニットの構成、各部材の配置によって異なるが、本実施形態においては、例えば、０．１ｍｍ〜０．２ｍｍである。
【００３８】
プリズム６０とカバーガラス４０との界面の、プリズム６０の光入射面６０Ａと光出射面６０Ｂとのなす角部６０Ｃ側の一辺７５が間隙Ｇを臨む位置に配置されている。
カバーガラス４０は、プリズム６０の角部６０Ｃと対向する角部４０Ｃに切欠き部４２を備えている。この切欠き部４２はカバーガラス４０の稜線を面取りして形成された面取り部である。例えば、０．２ｍｍ〜０．５ｍｍの厚みのカバーガラスに対して、Ｃ０．１〜Ｃ０．２程度の面取り部を有するものが好適である。面取り部はＣ面取り（４５°面取り）に限らず、いかなる角度であってもよく、また、Ｒ面取りであってもよい。なお、切欠き部４２は、余剰な接着剤を受容できれば形状は限定されず、段差部であってもよいし、凹部等であってもよい。
【００３９】
プリズム６０とカバーガラス４０とは、ほぼ全面に亘って接着剤７０により接着されている。一方、対物レンズで検出された像光はプリズム６０を経てカバーガラス４０を透過して撮像素子８２の受光部８４に入射する。すなわち、プリズム６０とカバーガラス４０における像光の光路に接着層７２が設けられているため、この接着層７２に剥がれが生じると受光像に多大な影響を与えることとなる。本構成の撮像ユニット３０によれば、接着層７２を形成する際にプリズム６０とカバーガラス４０との界面の鏡胴５０側の一辺７５から漏れ出る接着剤７０が、カバーガラス４０の切欠き部４２に受容され、間隙Ｇへ漏れ出る接着剤７０を抑制することができている。
【００４０】
本実施形態のように、鏡胴５０と撮像素子基板８０との間隙Ｇが０．１ｍｍ〜０．２ｍｍと非常に狭い場合には、カバーガラス４０に切欠き部４２がない場合、接着剤７０が間隙Ｇに入り込み充填されてしまう。接着剤が鏡胴５０と撮像素子基板８０の間隙Ｇに埋め込まれた場合、既述の通り、接着剤の膨張や剥がれによって、プリズム６０とカバーガラス４０との剥がれが生じる恐れがあるが、本構成によれば、接着剤７０の間隙Ｇへの漏れ出しが抑制されており、結果としてプリズムとカバーガラスとの剥がれが抑制されている。本実施形態の撮像ユニット３０は、プリズム６０とカバーガラス４０との剥がれが抑制された構成であるから、高温多湿環境を繰り返し受けた場合における高い耐久性を得ることができる。
【００４１】
図５〜図９は設計変更例のプリズムとカバーガラスの角部形状を説明するための図である。
【００４２】
図５に示すように、プリズム６０の光入射面６０Ａと光出射面６０Ｂとのなす角部６０Ｃが面取りされて面取り部からなる切欠き部６２を備えていてもよい。プリズム６０の切欠き部６２とカバーガラス４０の切欠き部４２により、接着剤７０を受容することができるので、プリズム６０とカバーガラス４０の接着時において、鏡胴５０と撮像素子基板８０との間隙Ｇ側への接着剤７０の漏れ出しを、より効果的に抑制することができる。
【００４３】
図５では、プリズム６０及びカバーガラス４０の間隙Ｇを臨む側の一辺（一つの角部）にのみ切欠き部を設けたが、図６、図７に示すように、プリズム６０とカバーガラス４０の互いに対向する面の４辺の全てに切欠き部６２ａ〜６２ｄ、４２ａ〜４２ｄを設けてもよい。図７に示すように、プリズム６０とカバーガラス４０を接着する際に、接着剤７０が４辺に溜まることにより、接着剤の表面張力でセルフアライメント効果を得ることができる。すなわち、微小な光学系の位置合わせの手間を削減できる。
【００４４】
図８に示すように、カバーガラス４０の切欠き部が段差部４４であってもよい。同様にプリズム６０の切欠き部が段差部６４であってもよい。また、図９に示すように、カバーガラス４０の、プリズム６０の角部６０Ｃに対向する部分に凹部４６を切欠き部として設けてもよい。図９に示すように、本発明におけるカバーガラスの「角部」には、撮像領域外の鏡胴側の端部領域であって、プリズム６０の角部６０Ｃに対向する部分を含む。
【００４５】
カバーガラス４０とプリズム６０とを接着する際には、カバーガラス４０の一面４０Ａとプリズム６０の光出射面６０Ｂとの間に均一な接着層７２によって接着されるに足る量の接着剤７０を塗布する。このとき、接着時の界面の鏡胴側の一辺から漏れ出る接着剤７０の量は切欠き部４２、６２に受容される程度となるように、塗布量を制御しておくことが肝要である。鏡胴５０と撮像素子基板８０との間隙Ｇ側に接着剤７０が、間隙Ｇを埋めない程度であれば、多少入り込んでいてもよい。ここで、鏡胴５０と撮像素子基板８０が接着剤を介して繋がっている部分が形成されている状態を、間隙Ｇが接着剤で埋め込まれていると見做す。
【００４６】
上記説明してきた各実施形態のように、鏡胴と撮像素子基板との間隙が０．１ｍｍ〜０．２ｍｍと非常狭い構成の撮像ユニットにおいては、微小な接着剤によって、間隙が埋め込まれてしまうために、カバーガラス及びプリズムの切欠き部に余剰接着剤を受容することにより、間隙への接着剤の漏れ出しを抑制する効果が非常に高い。
【００４７】
鏡胴５０と撮像素子基板８０との間隙Ｇが接着剤で埋め込まれていると、既述した高温時における接着剤、鏡胴等の膨張に伴い、カバーガラス４０とプリズム６０との剥がれに発展する。カバーガラス４０とプリズム６０はそれぞれ微小な光学系であり、接着剤量の制御も非常に難しい。
【００４８】
そこで、図１０に示すように、プリズム６０を、その角部６０Ｃが鏡胴５０の外周よりも外側に突出させて配置することが好ましい。プリズム６０を鏡胴５０外周よりも外側に突出させることで、鏡胴５０と撮像素子基板８０との間隙Ｇ及びプリズム６０とカバーガラス４０との接着状態、特には接着剤７０の、切り欠き部４２、６２への漏れ出し具合を容易に確認することができる。撮像ユニットの製造の際に、カバーガラス４０とプリズム６０との接着後に、目視により間隙Ｇ及びプリズムとカバーガラスの接続部を観察して、漏れ出た接着剤７０が切欠き部に収まらず間隙Ｇを埋めている場合には、不良品として排除することができる。
【００４９】
また、本例に示すプリズム６０は、鏡胴５０の外周よりも外側に突出させて配置するために、先に説明した実施形態と比較してプリズム６０のサイズを大きくして、有効面積を確保している。プリズムを大きなサイズとし、プリズム６０に切欠き部６２を設けた場合には、収容容量を大きくすることができるため、接着剤７０の間隙Ｇ側への漏れ出しを、より効果的に抑制することができる。
【００５０】
図１１は、図２に示す撮像ユニット３０の変形例である撮像ユニット３０Ａの断面図である。図１１において、図２と同じ構成には同一符号を付して説明を省略する。
本実施形態の撮像ユニット３０Ａは、鏡胴１５０の基端側の一端に平板光学部材の一形態である色フィルタ９０を備えており、その色フィルタ９０の光出射面９０Ａにプリズム６０の光入射面６０Ａが接続されている。この色フィルタ９０の光出斜面９０Ａとプリズム６０の光入射面６０Ａとは、接着剤７０を介して接続されている。
色フィルタ９０は、例えば、ローパスフィルタなどの所望の波長域の波長のみを透過させる機能を有する光学ガラスフィルタである。
【００５１】
本例において撮像素子基板８０Ａは、撮像素子８２が備えられているシリコン基板８１とその後端に固定されている回路基板８３とから構成されており、フレキシブル基板８５を備えていない。鏡胴１５０の基端側の一端１５０Ａが撮像素子基板８０の側面８０Ａと、間隙Ｇで対向して配置されている。
【００５２】
そして、プリズム６０とカバーガラス４０の界面の一辺がこの間隙Ｇに面して配置されており、同様に、プリズム６０と色フィルタ９０との界面の一辺がこの間隙Ｇに面して配置されている。プリズム６０とカバーガラス４０とは接着層７２を介して接着されており、同様に、プリズム６０と色フィルタ９０とは接着層７２を介して接着されている。
【００５３】
色フィルタ９０の、プリズム６０の角部６０Ｃと対向する角部９０は、面取りされて面取り部からなる切欠き部９２が設けられている。この切欠き部９２は接着剤７０を収容している。この色フィルタ９０の角部に設けられている切欠き部９２についても、面取り部に限らず、段差や凹部であっても構わない。
【００５４】
鏡胴１５０と撮像素子基板８０との間隙Ｇに接着剤７０が埋め込まれると、接着剤７０や鏡胴５０の膨張により、光フィルタ９０とプリズム６０との剥がれ、あるいはプリズム６０とカバーガラス４０との剥がれが生じる可能性がある。しかし、本例の構成によれば、光フィルタ９０とプリズム６０とを接着する際に、界面の間隙Ｇに面する一辺から漏れ出た接着剤７０は切欠き部９２に受容され、間隙Ｇへの漏れ出しを十分に抑制することができる。
【００５５】
上記各実施形態においては、切欠き部が設けられる平板光学部材としてカバーガラスあるいは色フィルタを挙げて説明したが、プリズムの光出射面又は射面に接着剤を介して接着される平板光学部材であれば特に制限されるものではない。プリズムと平板光学部材との界面の少なくとも一辺が、鏡胴と撮像素子基板との間隙に面する位置となるように配置され、両者の接着時にその界面の上記一辺から余剰な接着剤が漏れ出る構成において、平板光学部材のプリズムの角部と対向する角部に切欠き部を備えて、接着剤を受容するように構成されていればよい。切欠き部を備えることによって、間隙への接着剤の漏出を抑制することができ、間隙が接着剤で埋め込まれていない撮像素子ユニットを得ることができる。接着剤が鏡胴と撮像素子基板間に埋め込まれていない構成によって、プリズムとカバーガラスとの間の剥がれを抑制することができる。
【符号の説明】
【００５６】
１１   内視鏡装置
１２   内視鏡
１３   制御装置
１４   光源装置
１５   送気送水装置
１５ａ 送気装置
１５ｂ 洗浄水タンク
１６   挿入部
１６ａ 先端部
１６ｂ 湾曲部
１６ｃ 可撓管部
１７   操作部
１９   ユニバーサルコード
２０   モニタ
２１   アングルノブ
２２   送気送水ボタン
２３   鉗子口
２４   先端硬性部
２５   先端保護キャップ
２５ａ 貫通孔
３０   内視鏡用撮像ユニット
３０   撮像ユニット
３２   鉗子チャンネル
３３   湾曲駒
３４   外皮チューブ
３８   対物レンズ
３８Ａ，３８Ｂ，３８Ｃ      レンズ
４０   カバーガラス
４０Ａ カバーガラスの一面
４０Ｃ カバーガラスの側面
４０Ｃ 側面
４２   切欠き部
４４   段差部
４６   凹部
５０，１５０  鏡胴
５０Ａ，１５０Ａ     鏡胴の基端側の一端
６０   プリズム
６０Ａ プリズムの光入射面
６０Ｂ プリズムの光出射面
６２   切欠き部
６４   段差部
７０   接着剤
７２   接着層
７５   一辺
８０，８０Ａ  撮像素子基板
８２   撮像素子
８３   回路部
８４   受光部
９０   色フィルタ
９０Ａ 色フィルタの光出射面
【図１】
2019024942.tif 000003
【図２】
2019024942.tif 000004
【図３】
2019024942.tif 000005
【図４】
2019024942.tif 000006
【図５】
2019024942.tif 000007
【図６】
2019024942.tif 000008
【図７】
2019024942.tif 000009
【図８】
2019024942.tif 000010
【図９】
2019024942.tif 000011
【図１０】
2019024942.tif 000012
【図１１】
2019024942.tif 000013